(57)【特許請求の範囲】
【請求項１】
可撓性チューブと、上記可撓性チューブ内に液体を注入するために上記可撓性チューブの基端部に一端側が差し込まれた状態に接続された注入具接続口金と、上記可撓性チューブの腰の強さを補強するための芯金ワイヤとを有する内視鏡用カテーテルにおいて、
上記芯金ワイヤが基端近傍で折り曲げられた形状に形成されると共に、上記可撓性チューブ内に差し込まれる上記注入具接続口金の外周面にワイヤ基端抜け止め孔が穿設され、
上記芯金ワイヤの基端の折り曲げられた部分が上記ワイヤ基端抜け止め孔に差し込まれて、上記芯金ワイヤの基端付近の部分が上記可撓性チューブと上記注入具接続口金との間に挟み込まれ、
上記芯金ワイヤが、上記ワイヤ基端抜け止め孔に差し込まれている位置において外側から上記可撓性チューブで押さえられた状態になっていることを特徴とする内視鏡用カテーテル。
【請求項２】
上記注入具接続口金の端部が上記可撓性チューブの基端部分に圧入されている請求項１記載の内視鏡用カテーテル。
【請求項３】
上記注入具接続口金の圧入部分に、上記可撓性チューブの内面に食い込んで軸線方向の抜け止めとなる突起が形成されている請求項２記載の内視鏡用カテーテル。
【請求項４】
上記芯金ワイヤの基端部分の位置決めをするためのワイヤ基端位置決め部が上記可撓性チューブと上記注入具接続口金の一方又は両方に形成されている請求項１、２又は３記載の内視鏡用カテーテル。
【請求項５】
上記芯金ワイヤが、基端近傍において略直角に折り曲げられた形状に形成されている請求項１、２、３又は４記載の内視鏡用カテーテル。
【発明の詳細な説明】
【０００１】
【発明の属する技術分野】
この発明は、体腔内への薬液散布等をするために内視鏡の処置具挿通チャンネルに挿脱使用される内視鏡用カテーテルに関する。
【０００２】
【従来の技術】
内視鏡用カテーテルは一般に、四フッ化エチレン樹脂チューブ等からなる可撓性チューブの基端に注射筒等を接続可能な注入具接続口金が取り付けられ、可撓性チューブが処置具挿通チャンネルへの挿入操作時に折れ曲がるのを防止するためのステンレス鋼線製の芯金ワイヤが、可撓性チューブ内に緩く挿通配置された構成をとっている。
【０００３】
そのような芯金ワイヤは一般に、基端部分が注入具接続口金に半田付けなどによって固着されるか、注入具接続口金に着脱することができる摘まみ状部材に芯金ワイヤの基端部分が半田付けなどによって固着されていた。
【０００４】
【発明が解決しようとする課題】
人体内に薬液等を送り込むために用いられる内視鏡用カテーテルのような処置具は、患者間における感染等を防止するために、できる限り使い捨てにするのが望ましい。
【０００５】
そのためには、内視鏡用カテーテルを可能な限り安価なものにする必要があり、部品点数が少なく、しかも組み立てが容易な構成にすることが強く求められている。しかし、上述のような従来の内視鏡用カテーテルでは、芯金ワイヤの基端部分の連結、固定に組み立てコストがかかってしまう問題があった。
【０００６】
そこで本発明は、芯金ワイヤの基端部分を連結、固定するための組み立てコストを大幅に低減して実効のあるコストダウンをすることができる内視鏡用カテーテルを提供することを目的とする。
【０００７】
【課題を解決するための手段】
上記の目的を達成するため、本発明の内視鏡用カテーテルは、可撓性チューブと、可撓性チューブ内に液体を注入するために可撓性チューブの基端部に接続された注入具接続口金と、可撓性チューブの腰の強さを補強するための芯金ワイヤとを有する内視鏡用カテーテルにおいて、芯金ワイヤの基端部分を、可撓性チューブと注入具接続口金との間に挟み込むことによりそこに固定したものである。
【０００８】
なお、注入具接続口金の端部が可撓性チューブの基端部分に圧入されていてもよく、その場合、注入具接続口金の圧入部分に、可撓性チューブの内面に食い込んで軸線方向の抜け止めとなる突起が形成されていてもよい。
【０００９】
また、芯金ワイヤの基端部分の位置決めをするためのワイヤ基端位置決め部が可撓性チューブと注入具接続口金の一方又は両方に形成されていてもよく、芯金ワイヤの基端部分を折り曲げて係止することにより芯金ワイヤが固定部から抜け出すのを規制するワイヤ基端抜け止め部が注入具接続口金に形成されていてもよい。
【００１０】
【発明の実施の形態】
図面を参照して本発明の実施例を説明する。
図１は本発明の第１の実施例の内視鏡用カテーテルの全体構成を示しており、１は、図示されていない内視鏡の処置具挿通チャンネルに挿脱される可撓性チューブであり、例えば四フッ化エチレン樹脂等によって形成されている。
【００１１】
可撓性チューブ１の基端には、注射筒等のような注入具を接続することができる注入具接続口金２が接続固定されている。注入具接続口金２は金属又はプラスチック製であり、薬液を注入具接続口金２から可撓性チューブ１内に注入して可撓性チューブ１の先端から噴出させることができる。
【００１２】
可撓性チューブ１内には芯金ワイヤ３が挿通配置されている。芯金ワイヤ３の先端は可撓性チューブ１の先端から例えば数センチメートル〜数十センチメートル内部に位置している。
【００１３】
そのように、可撓性チューブ１内に芯金ワイヤ３が通されていることにより、可撓性チューブ１の腰の強さが補強され、可撓性チューブ１を座屈させることなく処置具挿通チャンネルに押し込み操作することができる。
【００１４】
芯金ワイヤ３の基端部分は、可撓性チューブ１と注入具接続口金２との接続部において、可撓性チューブ１と注入具接続口金２との間に挟み込まれてそこに固定されており、その他の部分はフリーになっている。
【００１５】
図２は、可撓性チューブ１と注入具接続口金２との接続部を示しており、注入具接続口金２から先側に向かって突設された筒状部２１が、可撓性チューブ１の基端部分内に圧入されている。
【００１６】
そして、筒状部２１の外周面に突出形成された先の尖った抜け止め用周状突起２２が可撓性チューブ１の内周面に食い込んで、可撓性チューブ１に対する軸線方向の抜け止めになっている。
【００１７】
芯金ワイヤ３の基端部分は、この実施例においては、筒状部２１の端部から中間部分まで、III−III断面を図示する図３に示されるように筒状部２１の外周面に沿って配置されて、可撓性チューブ１によって押圧される力によってそこに固定されている。
【００１８】
筒状部２１の中間部分には、芯金ワイヤ３の基端面が当接する位置決め突起２３が周状に突出形成されており、内側に芯金ワイヤ３が存在しない可撓性チューブ１の端部近傍部分１ａが筒状部２１の外周全面に密着することにより接続部からの漏れが防止されている。
【００１９】
図４は、可撓性チューブ１と注入具接続口金２との接続部の第２の実施例を示しており、Ｖ−Ｖ断面を図示する図５に示されるように、芯金ワイヤ３の基端部分が、可撓性チューブ１の内周面に軸線方向に形成された案内溝１１内に嵌め込まれ、そこに位置決めされた状態に配置されている。
【００２０】
ただし、案内溝１１の深さが芯金ワイヤ３の直径より小さく形成されているので、案内溝１１内に配置された芯金ワイヤ３は可撓性チューブ１と注入具接続口金２とにより挟み付けられてそこに固定されている。
【００２１】
図６は、可撓性チューブ１と注入具接続口金２との接続部の第３の実施例を示しており、注入具接続口金２の先寄りの部分に、第一筒状部２１より太い第二筒状部２６を第一筒状部２１に連続して形成し、両筒状部２１，２６を可撓性チューブ１の基端部に圧入固定したものである。
【００２２】
芯金ワイヤ３の基端部分は第一筒状部２１において可撓性チューブ１により押圧固定され、第二筒状部２６の外周面には、可撓性チューブ１の内周面に食い込む抜け止め用周状突起２２が突出形成されている。
【００２３】
図７は、図６におけるVII−VII断面の構成を二種類示しており、芯金ワイヤ３の基端部分を、（Ａ）に示されるように第一筒状部２１の外周面に沿って配置してもよいし、或いは（Ｂ）に示されるように、第一筒状部２１の外周面に軸線方向に形成された案内溝２７内に嵌め込んで位置決めをしてもよい。案内溝２７の深さは芯金ワイヤ３の直径より小さく形成されている。
【００２４】
図８は、可撓性チューブ１と注入具接続口金２との接続部の第４の実施例を示しており、芯金ワイヤ３の端部を折り曲げて、第一筒状部２１の外周面に穿設されたワイヤ基端抜け止め孔２８に差し込んだものであり、その他の部分は、図６に示される第３の実施例と同様である。
【００２５】
このようにすることにより、芯金ワイヤ３の基端部分が可撓性チューブ１と注入具接続口金２とによって挟まれた固定部から抜け出し難くなり、より安定した固定状態にすることができる。
【００２６】
【発明の効果】
本発明によれば、芯金ワイヤの基端部分を可撓性チューブと注入具接続口金との間に挟み込むことによりそこに固定する構成をとったので、芯金ワイヤの基端部分を連結、固定するのに要する組み立てコストを大幅に低減して、実効のあるコストダウンを達成することができる。
【図面の簡単な説明】
【図１】本発明の第１の実施例の内視鏡用カテーテルの側面図である。
【図２】本発明の第１の実施例の芯金ワイヤ固定部の側面断面図である。
【図３】本発明の第１の実施例の図２におけるIII−III断面図である。
【図４】本発明の第２の実施例の芯金ワイヤ固定部の側面断面図である。
【図５】本発明の第２の実施例の図４におけるＶ−Ｖ断面図である。
【図６】本発明の第３の実施例の芯金ワイヤ固定部の側面断面図である。
【図７】本発明の第３の実施例の図６におけるVII−VII断面図である。
【図８】本発明の第４の実施例の芯金ワイヤ固定部の側面断面図である。
【符号の説明】
１  可撓性チューブ
２  注入具接続口金
３  芯金ワイヤ
１１  案内溝
２１  筒状部
２２  抜け止め用周状突起
２６  第二筒状部
２７  案内溝
２８  ワイヤ基端抜け止め孔
【図１】
0004424826.tif 000002
【図２】
0004424826.tif 000003
【図３】
0004424826.tif 000004
【図４】
0004424826.tif 000005
【図５】
0004424826.tif 000006
【図６】
0004424826.tif 000007
【図７】
0004424826.tif 000008
【図８】
0004424826.tif 000009